(57)【要約】      （修正有）【課題】フレームの照射窓の内周および遮光部材の照射窓用穴の内周に囲まれた照射窓の周縁部がメインパネル（大きい画像表示パネル）から見て白などの色彩を有して明確に表示されないようにする両面発光装置の提供。【解決手段】小さい画像表示パネルに光を照射する領域と同等の大きさに形成された照射窓２ｆを有する仕切板２ｅとを有するフレーム２と、照射窓２ｆの内周を囲むように形成された照射窓用穴３ａを有するとともに、仕切板２ｆと同程度の大きさを有して形成された遮光部材３と、厚さ方向に対する両面に光学部材を有している導光板４とを備えており、フレーム２の厚さ方向に対して、フレーム２の仕切板２ｆ、遮光部材３、導光板４の順に積層し、照射窓２ｆの内周および照射窓用穴３ａの内周によって囲まれた照射窓２ｆの周縁部２ｇは、導光板４における仕切板２ｆに近接した光学部材３から１００μｍ以上離れるような形状に形成されている。【選択図】      図２
2007035545.tif 000002
【特許請求の範囲】
【請求項１】
厚さ方向に対する両面において大小２つの画像表示パネルをそれぞれ保持する大小２つの外周固定部材と、前記大小２つの外周固定部材の間において前記小さい画像表示パネルに光を照射する領域と同等の大きさに形成された照射窓を有する仕切板とを有するフレームと、
前記照射窓の内周を囲むように形成された照射窓用穴を有するとともに、前記仕切板と同程度の大きさを有して形成された遮光部材と、
厚さ方向に対する両面に光学部材を有している導光板と
を備えており、
前記フレームの厚さ方向に対して、前記フレームの前記仕切板、前記遮光部材、前記導光板の順に積層している両面発光装置において、
前記照射窓の内周および前記照射窓用穴の内周によって囲まれた照射窓の周縁部は、前記導光板における前記仕切板に近接した前記光学部材から１００μｍ以上離れるような形状に形成されている
ことを特徴とする両面発光装置。
【請求項２】
前記照射窓の周縁部は、前記フレームの厚さ方向に対して、斜辺が前記仕切板に近接した前記光学部材に対向する断面略直角三角形状もしくは前記仕切板に近接した前記光学部材から階段部が下っていくような断面階段形状に形成されている請求項１に記載の両面発光装置。
【請求項３】
厚さ方向に対する両面において大小２つの画像表示パネルをそれぞれ保持する大小２つの外周固定部材と、前記大小２つの外周固定部材の間において前記小さい画像表示パネルに光を照射する領域と同等の大きさに形成された照射窓を有する仕切板とを有するフレームと、
前記照射窓の内周を囲むように形成された照射窓用穴を有するとともに、前記仕切板と同程度の大きさを有して形成された遮光部材と、
厚さ方向に対する両面に光学部材を有している導光板と
を備えており、
前記フレームの厚さ方向に対して、前記フレームの前記仕切板、前記遮光部材、前記導光板の順に積層している両面発光装置において、
前記導光板における前記仕切板に近接した前記光学部材は、前記照射窓の内周および前記照射窓用穴の内周によって囲まれた照射窓の周縁部から１００μｍ以上離れて配設されている
ことを特徴とする両面発光装置。
【発明の詳細な説明】
【技術分野】
【０００１】
本発明は、両面発光装置に係り、大きさの異なる大小２つの液晶ディスプレイの間に配設される照明装置として好適に用いられる両面発光装置に関する。
【背景技術】
【０００２】
昨今の折り畳み式携帯電話機においては、大きさの異なる大小２つの液晶ディスプレイを折り畳み式携帯電話機の一片の表裏に有しているものが多く提案されている。これら大小２つの液晶ディスプレイは、折り畳み式携帯電話機の薄型化のため、バックライトなどの面状照明装置を厚さ方向に対して両面から発光させるように形成した照明装置（以下、「両面発光装置」という。）を共有している。
【０００３】
一般的に、従来の両面発光装置１０１は、図６に示すように、フレーム１０２、遮光部材１０３、導光板１０４を有している。
【０００４】
フレーム１０２は、白色などの色彩を有する樹脂などを用いて形成されており、図６から図８に示すように、厚さ方向（図６において上下方向）に対する両面において大きい画像表示パネル（以下、「メインパネル」という。）を保持する外周固定部材（図６および図７を参照）１０２ａと小さい画像表示パネル（以下、「サブパネル」という。）を保持する外周固定部材（図６および図８を参照）１０２ｂとを有している。また、このフレーム１０２は、前述した大小２つの外周固定部材１０２ａ、１０２ｂの間においてサブパネル（図示せず。図６においては下方からフレーム１０２に配設される）に光を照射する領域と同等の大きさに形成された照射窓１０２ｆを有する仕切板１０２ｅを有している。
【０００５】
遮光部材１０３は、図６および図７に示すように、遮光性を有する薄い矩形板材により形成されている。また、遮光部材１０３は、照射窓１０２ｆの内周を囲むように形成された照射窓用穴１０３ａを有しつつ、仕切板１０２ｅと同程度の大きさを有して形成されている。この照射窓用穴１０３ａは、仕切板１０２ｅの照射窓１０２ｆと同位置、同一の大きさに形成することが事実上困難であること、および遮光部材１０３が照射窓１０２ｆ内にはみ出すとサブパネルへの照射領域が減少することから、照射窓１０２ｆよりも若干大きく形成されている。
【０００６】
導光板１０４は、図６に示すように、厚さ方向に対する両面にプリズムシートや拡散シートなどの光学部材１０５、１０６、１０７、１０８を有しつつ、仕切板１０２ｅよりも小さい形状に形成されている。また、導光板１０４の側方には、発光ダイオードなどの発光素子１１１が配設されている。
【０００７】
前述したこれらの部材は、図６に示すように、フレーム１０２の厚さ方向（図６において上下方向）に対して、フレーム１０２の仕切板１０２ｅ、遮光部材１０３、導光板１０４の順に積層されており、その上に、メイン用遮光部材１０９、メインパネル（図示せず）が積層されている（特許文献１を参照）。
【０００８】
なお、この両面発光装置１０１は、図６および図８に示すように、フレーム１０２の仕切板１０２ｅに対してメインパネルの反対側にも遮光部材１１０を有している。このメインパネルの反対側に配設された遮光部材１１０は、照射窓１０２ｆの内周を囲むように形成された照射窓用穴１１０ａを有しつつ、サブパネルを保持する外周固定部材の内周と同程度の大きさに形成されている。また、フレーム１０２の厚さ方向の下方に対して、メインパネルの反対側に配設された遮光部材１１０、サブパネル（図示せず）の順に積層している。
【０００９】
【特許文献１】特開２００４−２１９９８５号公報
【発明の開示】
【発明が解決しようとする課題】
【００１０】
しかしながら、図７に示すように、フレーム１０２の照射窓１０２ｆの内周および遮光部材１０３の照射窓用穴１０３ａの内周に囲まれた照射窓１０２ｆの周縁部１０２ｇは遮光部材１０３によって覆われていないので、図９および図１０に示すように、導光板１０４からサブパネル側（図１０の下方側）に出射した光が照射窓１０２ｆの周縁部１０２ｇによって反射してしまう。このことから、当該照射窓１０２ｆの周縁部１０２ｇは、メインパネルから見て白い額縁状に表示されてしまうという問題があった。これは、遮光部材１０３に形成された照射窓用穴１０３ａの寸法許容差や遮光部材１０３の貼付精度から事実上必ず生じてしまうものなので、遮光部材１０３の形状変化や寸法精度の向上などによっては当該問題を解決することが困難であった。
【００１１】
そこで、本発明はこれらの点に鑑みてなされたものであり、フレームの照射窓の内周および遮光部材の照射窓用穴の内周に囲まれた照射窓の周縁部がメインパネル（大きい画像表示パネル）から見て白などの色彩を有して明確に表示されないようにすることが可能となる両面発光装置を提供することを本発明の目的としている。
【課題を解決するための手段】
【００１２】
本発明の発明者は、導光板に配設された光学部材が白色のフレームから１００μｍ以上離れると、メインパネル（大きい画像表示パネル）から見て白などの色彩を有する照射窓の周縁部が明確に表示されずにぼやけて見え始めることを見出した。
【００１３】
そこで、本発明の両面発光装置の第１の態様は、前述した目的を達成するため、厚さ方向に対する両面において大小２つの画像表示パネルをそれぞれ保持する大小２つの外周固定部材と、大小２つの外周固定部材の間において小さい画像表示パネルに光を照射する領域と同等の大きさに形成された照射窓を有する仕切板とを有するフレームと、照射窓の内周を囲むように形成された照射窓用穴を有するとともに、仕切板と同程度の大きさを有して形成された遮光部材と、厚さ方向に対する両面に光学部材を有している導光板とを備えており、フレームの厚さ方向に対して、フレームの仕切板、遮光部材、導光板の順に積層している両面発光装置において、照射窓の内周および照射窓用穴の内周によって囲まれた照射窓の周縁部は、導光板における仕切板に近接した光学部材から１００μｍ以上離れるような形状に形成されていることを特徴としている。
【００１４】
本発明の第１の態様によって、サブパネル（小さい画像表示パネル）に照射される光量を維持しつつも、メインパネル（大きい画像表示パネル）から見て白く写る照射窓の周縁部をぼやけさせることができる。
【００１５】
本発明の第２の態様は、第１の態様の両面発光装置において、照射窓の周縁部は、フレームの厚さ方向に対して、斜辺が仕切板に近接した光学部材に対向する断面略直角三角形状もしくは仕切板に近接した光学部材から階段部が下っていくような断面階段形状に形成されていることを特徴としている。
【００１６】
本発明の第２の態様によって、照射窓の周縁部の形状を容易に成形することができる。
【００１７】
本発明の第３の態様は、厚さ方向に対する両面において大小２つの画像表示パネルをそれぞれ保持する大小２つの外周固定部材と、大小２つの外周固定部材の間において小さい画像表示パネルに光を照射する領域と同等の大きさに形成された照射窓を有する仕切板とを有するフレームと、照射窓の内周を囲むように形成された照射窓用穴を有するとともに、仕切板と同程度の大きさを有して形成された遮光部材と、厚さ方向に対する両面に光学部材を有している導光板とを備えており、フレームの厚さ方向に対して、フレームの仕切板、遮光部材、導光板の順に積層している両面発光装置において、導光板における仕切板に近接した光学部材は、照射窓の内周および照射窓用穴の内周によって囲まれた照射窓の周縁部から１００μｍ以上離れて配設されていることを特徴としている。
【００１８】
本発明の第３の態様によって、白などの色彩を有する照射窓の周縁部を大きい画像表示パネルから見てぼやけさせることができる。
【発明の効果】
【００１９】
本発明の両面発光装置によって、フレームの照射窓の内周および遮光部材の照射窓用穴の内周に囲まれた部分がぼやけていくため、当該部分がメインパネルからみて明確に額縁状に表示されないようにすることができるという効果を奏する。
【発明を実施するための最良の形態】
【００２０】
以下、図１から図４を用いて、本発明の両面発光装置の一実施形態を説明する。ここで、図１は、本発明の両面発光装置の一実施形態において図７のＡ−Ａ断面図と同様の方向から見た断面図を示している。また、図２〜４は、本実施形態の各照射窓２ｆの周縁部２ｇ（図１の丸囲部）を部分拡大図として示している。
【００２１】
図１に示すように、本実施形態の両面発光装置１は、従来例と同等のフレーム２、遮光部材３、導光板４を有している。
【００２２】
フレーム２は、安価な白色の樹脂を用いて略矩形状に形成されており、フレーム２の厚さ方向に対する両面において、メインパネル（大きい画像表示パネル）を保持する矩形額縁状に形成された第１の外周固定部材（図７を参照）２ａと、サブパネル（小さい画像表示パネル）を保持する矩形額縁状に形成された第２の外周固定部材（図８を参照）２ｂとを有している。また、第２の外周固定部材２ｂの内側の仕切板２ｅ部分には、サブパネルに対して光を照射する領域と同等の大きさに形成された照射窓２ｆが形成されている。この照射窓２ｆ部分の仕切板２ｅの厚さｔ２は８００μｍ程度に形成されている。また、第１の外周固定部材２ａの内側には、導光板４を保持する第１の外周固定部材２ａよりも小さい矩形額縁状の第３の外周固定部材２ｃが形成されている。
【００２３】
遮光部材３は、厚さｔ１が５０μｍ程度の黒色の樹脂フィルムを用いて形成されている。この遮光部材３は、図１に示すように、照射窓２ｆの内周を囲むように形成された照射窓用穴３ａを有しており、第３の外周固定部材２ｃの内側に丁度はまる大きさの略矩形状に形成されている。この照射窓用穴３ａは、仕切板２ｅの照射窓２ｆよりも若干大きな外形を有して形成されている。
【００２４】
導光板４は、図１に示すように、透明のアクリル樹脂を用いて均一の厚さを有する略矩形状に形成されており、その厚さ方向に対する両面にプリズムシートや拡散シートなどの光学部材５、６、７、８を有している。また、導光板４の側方には、発光ダイオードなどの発光素子１１が配設されている。
【００２５】
これらの部材は、フレーム２の厚さ方向に対して、フレーム２の仕切板２ｅ、遮光部材３、導光板４の順に積層されており、その上に、メイン用遮光部材９、メインパネル（図示せず）が積層されている。
【００２６】
ここで、図２に示すように、照射窓２ｆの内周および照射窓用穴３ａの内周によって囲まれた照射窓２ｆの周縁部２ｇは、少なくとも照射窓用穴３ａの内周位置において仕切板２ｅに近接している導光板４の光学部材５から所定の距離ｄが１００μｍ以上離れるような形状に形成されている。例えば、フレーム２の厚さ方向に対して、図２に示すような斜辺が仕切板２ｅに近接した光学部材５に対向する断面略直角三角形状、もしくは図３に示すような仕切板２ｅに近接した光学部材５から複数の階段部が下っていくような断面階段形状に照射窓２ｆの周縁部２ｇが形成されていることが照射窓２ｆの周縁部２ｇの成形容易性の観点から好ましい。
【００２７】
もちろん、照射窓２ｆの周縁部２ｇが仕切板２ｅに近接している導光板４の光学部材５から所定の距離ｄ＝１００μｍ以上離れるような形状に形成されていればよいので、図４に示すような仕切板２ｅに近よ接した光学部材５に湾曲面が対向する断面湾曲形状のような形状に形成してもよい。
【００２８】
次に、図１から図４を用いて、本実施形態の両面発光装置１の作用を説明する。
【００２９】
本実施形態の両面発光装置１は、図１から図３に示すように、フレーム２に形成された仕切板２ｅの上方に、遮光部材３、光学部材５、６、７、８や発光素子１１などを有する導光板４、メイン用遮光部材９、メインパネルを積層して形成されている。
【００３０】
ここで、仕切板２ｅの照射窓２ｆの内周および遮光部材３の照射窓用穴３ａの内周に囲まれた照射窓２ｆの周縁部２ｇは、図２に示すような斜辺が仕切板２ｅに近接した光学部材５に対向する断面略直角三角形状などに形成されており、仕切板２ｅに近接した光学部材５と仕切板２ｅまでの所定の距離ｄが１００μｍ以上になっているので、メインパネル（大きい画像表示パネル）から見て白く写る照射窓２ｆの周縁部２ｇをぼやけさせることができる。これは、導光板４に配設された光学部材５が白色のフレーム２から１００μｍ以上離れると、メインパネル（大きい画像表示パネル）から見て白などの色彩を有する照射窓２ｆの周縁部２ｇが明確に表示されずにぼやけて見えることを本発明の発明者が見出し、それを利用したためである。
【００３１】
本実施形態の両面発光装置１の優れた点は、照射窓２ｆの周縁部２ｇの形状以外を変更していない点にある。これによって、本実施形態の両面発光装置１は、従来の両面発光装置１０１の技術によって導光板４から得た光量をそのまま生かすことが可能となる。特に、サブパネル側に出射する光量および照射領域に全く影響を及ぼさないので、サブパネル（小さい画像表示パネル）に照射される光量および照射領域を従来の両面発光装置１と同等に維持することができる。
【００３２】
また、本実施形態の両面発光装置１によって形状の変更を受ける照射窓２ｆの周縁部２ｇにおいても、その断面を図２に示すような断面直角三角形状にすることによって、樹脂成形時の流れ込みを良くすることができるので、本実施形態によって変更された照射窓２ｆの周縁部２ｇを容易に成形することができる。その結果、図７に示すような従来の両面発光装置１と同等の製造コストでメインパネルにおける照射窓２ｆの周縁部２ｇの映り込みを防止することができる。
【００３３】
すなわち、本実施形態の両面発光装置１によって、フレーム２の照射窓２ｆの内周および遮光部材３の照射窓用穴３ａの内周に囲まれた照射窓２ｆの周縁部２ｇの色彩がぼやけていくため、メインパネルからみて照射窓２ｆの周縁部２ｇを明確に額縁状に表示させないようにすることができるという効果を奏する。
【００３４】
なお、本発明は、前述した実施形態などに限定されるものではなく、必要に応じて種々の変更が可能である。例えば、図５に示すように、導光板４に配設されている仕切板２ｅに近接した光学部材５は、少なくとも照射窓２ｆの周縁部２ｇから１００μｍ以上離れて配設されていることを満たすならば、照射窓２ｆの周縁部２ｇの形状を従来と同様の形状にしてもよい。これによって、サブパネル側に出射する光量の低下を抑制して白などの色彩を有する照射窓２ｆの周縁部２ｇをメインパネルから見てぼやけさせるという目的は達成することができる。
【図面の簡単な説明】
【００３５】
【図１】本発明の両面発光装置の一実施形態において図７のＡ−Ａ断面図と同様の方向から見た断面図
【図２】本実施形態の第１の照射窓の周縁部（図１の丸囲部）を示す部分拡大図
【図３】本実施形態の第２の照射窓の周縁部（図１の丸囲部）を示す部分拡大図
【図４】本実施形態の第３の照射窓の周縁部（図１の丸囲部）を示す部分拡大図
【図５】その他の実施形態の照射窓の周縁部（図１の丸囲部）を示す部分拡大図
【図６】従来の両面発光装置を示す分解斜視図
【図７】従来の両面発光装置をメインパネル側から示す正面図
【図８】従来の両面発光装置をサブパネル側から示す背面図
【図９】図７のＡ−Ａ断面図を右９０度に傾けた断面図
【図１０】従来の照射窓の周縁部（図９の丸囲部）を示す部分拡大図
【符号の説明】
【００３６】
１  両面発光装置
２  フレーム
２ｅ  仕切板
２ｆ  照射窓
２ｇ  照射窓の周縁部
３  遮光部材
４  導光板
５  光学部材
ｄ  所定の距離
【図１】
2007035545.tif 000003
【図２】
2007035545.tif 000004
【図３】
2007035545.tif 000005
【図４】
2007035545.tif 000006
【図５】
2007035545.tif 000007
【図６】
2007035545.tif 000008
【図７】
2007035545.tif 000009
【図８】
2007035545.tif 000010
【図９】
2007035545.tif 000011
【図１０】
2007035545.tif 000012